(57)【要約】【課題】  側壁部が外側板部と内側板部とを有し、内側板部から連設された折返し板部で底板部に積層した折返し板部が設けられた箱において、解体性を向上させることができる箱を提供する。【解決手段】  折返し板部４０ｃは、細長長方形状の本体部４２ｃと、本体部４２ｃの両側に設けられた突出部４４−３等を有し、折返し板部４０ｂは、突出部４４−３等に重なった状態で本体部４２ｃの端部に当接している。これにより、折返し板部４０ｂと底板部１０との間には隙間が形成されるので、折返し板部４０ｂの下側に指等を入れやすく、折返し板部４０ｂを持ち上げやすくなる。【選択図】        図１
0003111003.tif 000002
【実用新案登録請求の範囲】
【請求項１】
箱であって、
方形状を呈する底板部と、
該底板部の相対する２辺から折れ線を介して連設された第１構成部であって、底板部から折れ線を介して連設された第１外側板部と、第１内側板部と、該第１内側板部から折れ線を介して連設された第１折返し板部とを有する第１構成部と、
該底板部の他の相対する２辺から折れ線を介して連設された第２構成部であって、底板部から折れ線を介して連設された第２外側板部と、第２内側板部と、該第２内側板部の両側に折れ線を介して連設された連結フラップと、該第２内側板部から折れ線を介して連設された第２折返し板部で、該第２内側板部の長さよりも短く形成された本体部と、該本体部の両側に突出した突出部とを有する第２折返し板部とを有する第２構成部と、
を有し、
箱の組立て状態において、該第１構成部における第１外側板部と第１内側板部と、第２構成部における第２外側板部と第２内側板部と連結フラップとで底板部の辺部から立設した側壁部が構成され、該連結フラップは、第１外側板部と第１内側板部とで挟まれた状態となり、また、該第１折返し板部が、該第２折返し板部における突出部の上面に重なった状態で、該第２折返し板部における本体部の端部に当接した状態となっていることを特徴とする箱。
【請求項２】
上記第１構成部が、上記第１外側板部と上記第１内側板部間に、帯状の縁板部を有し、また、上記第２構成部が、上記第２外側板部と上記第２内側板部間に、帯状の縁板部を有することを特徴とする請求項１に記載の箱。
【請求項３】
上記第２構成部は、上記第２外側板部の両側に折れ線を介して連設された第２連結フラップを有することを特徴とする請求項１又は２に記載の箱。
【請求項４】
箱であって、
方形状を呈する底板部と、
該底板部の相対する２辺から折れ線を介して連設された第１構成部であって、底板部から折れ線を介して連設された方形状の第１外側板部と、該第１外側板部の底板部側とは反対側の辺部から折れ線を介して連設された帯状の縁板部と、該縁板部の第１外側板部側とは反対側の辺部から連設された第１内側板部で略方形状を呈し両側に突出部を有する第１内側板部と、該第１内側板部の縁板部側とは反対側の辺部から折れ線を介して連設された帯状の第１折返し板部とを有する第１構成部と、
該底板部の他の相対する２辺から折れ線を介して連設された第２構成部であって、底板部から折れ線を介して連設された第２外側板部と、該第２外側板部の両側に折れ線を介して連設された第１連結フラップと、該第２外側板部の底板部側とは反対側の辺部から折れ線を介して連設された帯状の第２縁板部と、該第２縁板部の第２外側板部側とは反対側の辺部から連設された略方形状の第２内側板部と、該第２内側板部の両側に折れ線を介して連設された第２連結フラップと、該第２内側板部の第２縁板部側とは反対側の辺部から折れ線を介して連設された第２折返し板部で、該第２内側板部の長さよりも短く形成された本体部と、該本体部の両側に突出した突出部とを有し、該本体部の両側には、第２内側板部の端部と該本体部の端部との間に所定の幅が形成された第２折返し板部とを有する第２構成部と、
を有し、
箱の組立て状態において、該第１構成部における第１外側板部と第１内側板部と、第２構成部における第２外側板部と第２内側板部と第１連結フラップと第２連結フラップとで底板部の辺部から立設した側壁部が構成され、該第１連結フラップと第２連結フラップは、第１外側板部と第１内側板部とで挟まれた状態となり、また、該第１折返し板部が、該第２折返し板部における突出部の上面に重なった状態で、該第２折返し板部における本体部の端部に当接した状態となっていることを特徴とする箱。
【請求項５】
上記突出部は、第２折返し板部における本体部の両側の端部で先端側の端部の位置に形成されていることを特徴とする請求項１又は２又は３又は４に記載の箱。
【請求項６】
上記突出部は、本体部の両側の端部の幅に対する３０〜５０％の領域から突出していることを特徴とする１又は２又は３又は４又は５に記載の箱。
【請求項７】
上記第１折返し板部は、先端にいくほど長さが小さくなるようにテーパ状に形成されていることを特徴とする請求項１又は２又は３又は４又は５又は６に記載の箱。
【請求項８】
箱の内側の面をなす折返し板部、第２折返し板部、第１内側板部、第２内側板部、底板部のいずれかに、第２折返し板部を持ち上げることにより解体できる旨の表示がされていることを特徴とする請求項１又は２又は３又は４又は５又は６又は７に記載の箱。
【考案の詳細な説明】
【技術分野】
【０００１】
本考案は、箱に関するものであり、特に、側壁部が外側板部と内側板部とを有し、内側板部から連設された折返し板部で底板部に積層した折返し板部が設けられた箱に関するものである。
【背景技術】
【０００２】
従来より、方形状の矩形状の底部と、底部の外周から立設した側壁部とを有する、いわゆるダブルウォールタイプの箱が存在する。このようなタイプの箱において、解体を容易とするために、両側に係止部を有する内側板の下部に手掛け穴等を設けるものが開示されている（特許文献１）。
【０００３】
また、従来より、図６に示すような箱Ｂが存在する。この箱Ｂは、Ｃ式（又は身蓋式）パッケージと言われているもので、底板部１１０と、該底板部１１０の外周から立設した側壁部１２０を有し、側壁部１２０は、外側板部１２２と、縁板部１２４と、内側板部１２６等から構成され、さらに、内側板部１２６の下端からは折返し板部１４０が設けられている。この折返し板部１４０は、細長の長方形状を呈し、隣接する折返し板部１４０同士は、その側端同士が接する状態で設けられている。そして、この折返し板部１４０は、底板部１１０の上面に積層した状態で設けられている。
【特許文献１】実用新案登録第３０４６６４３号公報
【考案の開示】
【考案が解決しようとする課題】
【０００４】
しかし、上記特許文献１のように内側板に手掛け穴を設けると、この手掛け穴から外側板の裏側が見えてしまい、箱の内側の面の見栄えが悪いという問題があった。さらに、箱の内側の見栄えに支障を来すことなく解体性を向上させることが困難であった。
【０００５】
また、特に、図６に示すようなタイプの箱の場合には、箱を解体させようとする場合には、折返し板部１４０を持ち上げる必要があるが、折返し板部１４０が底板部１１０に積層した状態となっているので、折返し板部１４０を持ち上げるのが困難であるという問題があった。また、図６に示すようなタイプの箱の場合には、折返し板部１４０が設けられているために、手掛け穴を設けたとしても、該手掛け穴に指を入れることが困難であり、解体性を向上させることにはつながらない。
【０００６】
そこで、本考案が解決しようとする問題点は、側壁部が外側板部と内側板部とを有し、内側板部から連設された折返し板部で底板部に積層した折返し板部が設けられた箱において、解体性を向上させることができる箱を提供することである。
【課題を解決するための手段】
【０００７】
本考案は上記問題点を解決するために創作されたものであって、第１には、箱であって、方形状を呈する底板部と、該底板部の相対する２辺から折れ線を介して連設された第１構成部であって、底板部から折れ線を介して連設された第１外側板部と、第１内側板部と、該第１内側板部から折れ線を介して連設された第１折返し板部とを有する第１構成部と、該底板部の他の相対する２辺から折れ線を介して連設された第２構成部であって、底板部から折れ線を介して連設された第２外側板部と、第２内側板部と、該第２内側板部の両側に折れ線を介して連設された連結フラップと、該第２内側板部から折れ線を介して連設された第２折返し板部で、該第２内側板部の長さよりも短く形成された本体部と、該本体部の両側に突出した突出部とを有する第２折返し板部とを有する第２構成部と、を有し、箱の組立て状態において、該第１構成部における第１外側板部と第１内側板部と、第２構成部における第２外側板部と第２内側板部と連結フラップとで底板部の辺部から立設した側壁部が構成され、該連結フラップは、第１外側板部と第１内側板部とで挟まれた状態となり、また、該第１折返し板部が、該第２折返し板部における突出部の上面に重なった状態で、該第２折返し板部における本体部の端部に当接した状態となっていることを特徴とする。
【０００８】
この第１の構成の箱においては、第１折返し板部が第２折返し板部における突出部の上面に重なった状態となっているので、この第１折返し板部と底板部との間には隙間が形成された状態となっており、この隙間に指や爪を入れることにより第１折返し板部を持ち上げやすくなっている。よって、第１折返し板部を持ち上げて、第１折返し板部の第２折返し板部の端部への当接状態を解除しやすく、解体性が向上される。また、内側板部には、指を掛止するための穴部を設ける必要がないので、外側板部の裏面が露出することがなく、見栄えを悪くすることがない。
【０００９】
また、第２には、上記第１の構成において、上記第１構成部が、上記第１外側板部と上記第１内側板部間に、帯状の縁板部を有し、また、上記第２構成部が、上記第２外側板部と上記第２内側板部間に、帯状の縁板部を有することを特徴とする。これにより、第１外側板部や第１内側板部や第２外側板部や第２内側板部の厚みがある程度ある場合であっても二重の側壁とすることができる。
【００１０】
また、第３には、上記第１又は第２の構成において、上記第２構成部は、上記第２外側板部の両側に折れ線を介して連設された第２連結フラップを有することを特徴とする。これにより、より箱体の形状を強固にすることができる。
【００１１】
また、第４には、箱であって、方形状を呈する底板部と、該底板部の相対する２辺から折れ線を介して連設された第１構成部であって、底板部から折れ線を介して連設された方形状の第１外側板部と、該第１外側板部の底板部側とは反対側の辺部から折れ線を介して連設された帯状の縁板部と、該縁板部の第１外側板部側とは反対側の辺部から連設された第１内側板部で略方形状を呈し両側に突出部を有する第１内側板部と、該第１内側板部の縁板部側とは反対側の辺部から折れ線を介して連設された帯状の第１折返し板部とを有する第１構成部と、該底板部の他の相対する２辺から折れ線を介して連設された第２構成部であって、底板部から折れ線を介して連設された第２外側板部と、該第２外側板部の両側に折れ線を介して連設された第１連結フラップと、該第２外側板部の底板部側とは反対側の辺部から折れ線を介して連設された帯状の第２縁板部と、該第２縁板部の第２外側板部側とは反対側の辺部から連設された略方形状の第２内側板部と、該第２内側板部の両側に折れ線を介して連設された第２連結フラップと、該第２内側板部の第２縁板部側とは反対側の辺部から折れ線を介して連設された第２折返し板部で、該第２内側板部の長さよりも短く形成された本体部と、該本体部の両側に突出した突出部とを有し、該本体部の両側には、第２内側板部の端部と該本体部の端部との間に所定の幅が形成された第２折返し板部とを有する第２構成部と、を有し、箱の組立て状態において、該第１構成部における第１外側板部と第１内側板部と、第２構成部における第２外側板部と第２内側板部と第１連結フラップと第２連結フラップとで底板部の辺部から立設した側壁部が構成され、該第１連結フラップと第２連結フラップは、第１外側板部と第１内側板部とで挟まれた状態となり、また、該第１折返し板部が、該第２折返し板部における突出部の上面に重なった状態で、該第２折返し板部における本体部の端部に当接した状態となっていることを特徴とする。
【００１２】
この第４の構成の箱においては、第１折返し板部が第２折返し板部における突出部の上面に重なった状態となっているので、この第１折返し板部と底板部との間には隙間が形成された状態となっており、この隙間に指や爪を入れることにより第１折返し板部を持ち上げやすくなっている。よって、第１折返し板部を持ち上げて、第１折返し板部の第２折返し板部の端部への当接状態を解除しやすく、解体性が向上される。また、内側板部には、指を掛止するための穴部を設ける必要がないので、外側板部の裏面が露出することがなく、見栄えを悪くすることがない。また、第１縁板部や第２縁板部が設けられているので、第１外側板部や第１内側板部や第２外側板部や第２内側板部の厚みがある程度ある場合であっても二重の側壁とすることができる。また、第１連結フラップと第２連結フラップが設けられているので、より箱体の形状を強固にすることができる。
【００１３】
また、第５には、上記第１から第４までのいずれかの構成において、上記突出部は、第２折返し板部における本体部の両側の端部で先端側の端部の位置に形成されていることを特徴とする。これにより、第１折返し板部の両側を第２折返し板部の本体部に当接させやすくすることができる。
【００１４】
また、第６には、上記第１から第５までのいずれかの構成において、上記突出部は、本体部の両側の端部の幅に対する３０〜５０％の領域から突出していることを特徴とする。よって、第１折返し板部が当接できる範囲を十分に取ることができるので、第１折返し板部の両側を第２折返し板部の本体部に当接させやすくすることができる。
【００１５】
また、第７には、上記第１から第６までのいずれかの構成において、上記第１折返し板部は、先端にいくほど長さが小さくなるようにテーパ状に形成されていることを特徴とする。よって、第１折返し板部を第２折返し板部の本体部に当接させて嵌合状態とするのを容易に行なうことができる。
【００１６】
また、第８には、上記第１から第７までのいずれかの構成において、箱の内側の面をなす折返し板部、第２折返し板部、第１内側板部、第２内側板部、底板部のいずれかに、第２折返し板部を持ち上げることにより解体できる旨の表示がされていることを特徴とする。これにより、解体操作の方法を容易に知らせることが可能となる。
【考案の効果】
【００１７】
本考案に基づく箱によれば、第１折返し板部を持ち上げて、第１折返し板部の第２折返し板部の端部への当接状態を解除しやすく、解体性が向上される。また、内側板部には、指を掛止するための穴部を設ける必要がないので、外側板部の裏面が露出することがなく、見栄えを悪くすることがない。
【考案を実施するための最良の形態】
【００１８】
本考案においては、側壁部が外側板と内側板とを有し、内側板から連設された折返し板で底板部に積層した折返し板が設けられた箱において、解体性を向上させることができる箱を提供するという目的を以下のようにして実現した。
【００１９】
本考案に基づく箱Ａは、図１に示すように構成され、底板部１０と、側壁部２０ａと、側壁部２０ｂと、側壁部２０ｃと、側壁部２０ｄとを有している。このように、底板部１０と、側壁部２０ａ〜２０ｄによって、箱Ａは上部が開口した箱状に形成され、内部に収納空間を有した構成となっている。
【００２０】
この箱Ａの詳細について、展開状態を示す図２を主として利用して説明する。箱Ａは、図２に示す展開状態の板状部材（例えば、段ボール材等の紙材）を組み立てることにより形成されたものであり、段ボール材等の板状の部材を図２に示す形状に形成して組み立てることにより、箱Ａが形成される。なお、図２において、一点鎖線は谷折りの折れ線を示し、二点鎖線は山折りの折れ線を示す。
【００２１】
まず、底板部１０は、箱の底面を構成する部材であり、方形状の板状に形成されている。
【００２２】
また、底板部１０の下側の辺部からは折れ線を介して外側板部（第２外側板部）２２ａが連設されている。この外側板部２２ａは、略長方形状を呈し、横方向（Ｘ１−Ｘ２方向）には底板部１０と同じ幅を有している。この外側板部２２ａの両側には、連結フラップ（第１連結フラップ）２８ａ、３０ａが折れ線を介して連設されている。すなわち、外側板部２２ａのＸ１側の辺部からは折れ線を介して連結フラップ２８ａが形成され、また、外側板部２２ａのＸ２側の辺部からは折れ線を介して連結フラップ３０ａが形成されている。この連結フラップ２８ａ、３０ａはともに略台形形状を呈している。また、外側板部２２ａの底板部１０側とは反対側の辺部からは縁板部（第２縁板部）２４ａが折れ線を介して連設されている。この縁板部２４ａは、幅狭の帯状を呈し、組立て状態では、側壁部２０ａの上端部分を構成する。この縁板部２４ａの横方向の幅は、外側板部２２ａ側から内側板部２６ａに向けて若干小さく形成されている。
【００２３】
また、縁板部２４ａの外側板部２２ａ側とは反対側の辺部からは内側板部（第２内側板部）２６ａが折れ線を介して連設されている。この内側板部２６ａは、略方形状を呈し、その幅（つまり、Ｙ１−Ｙ２方向の幅（組立て状態における高さ方向の幅））は、外側板部２２ａの幅（つまり、Ｙ１−Ｙ２方向の幅（組立て状態における高さ方向の幅））と同じか又は底板部１０の厚みを考慮して、外側板部２２ａの幅よりも若干小さく形成されている。また、内側板部２６ａの長さ（つまりＸ１−Ｘ２方向の長さ）は、外側板部２２ａの長さよりも若干短く形成されている。
【００２４】
また、内側板部２６ａの両側には、連結フラップ（第２連結フラップ）３２ａ、３４ａが折れ線を介して連設されている。すなわち、内側板部２６ａのＸ１側の辺部からは折れ線を介して連結フラップ３２ａが形成されている。また、内側板部２６ａのＸ２側の辺部からは折れ線を介して連結フラップ３４ａが形成されている。この連結フラップ３２ａは、長方形状の１つの角部（連結フラップ２８ａ側の角部）にアールが設けられた形状を呈しており、また、この連結フラップ３４ａは、長方形状の１つの角部（連結フラップ３０ａ側の角部）にアールが設けられた形状を呈している。
【００２５】
また、内側板部２６ａの縁板部２４ａ側とは反対側の辺部からは折返し板部（第２折返し部）４０ａが形成されている。この折返し板部４０ａは、本体部４２ａと、該本体部４２ａの両側に形成された突出部４４−１、４４−２とを有している。
【００２６】
ここで、本体部４２ａは、略長方形状を呈し、具体的には、細長の長方形状を呈している。この本体部４２ａの長さ、つまり、Ｘ１−Ｘ２方向の長さは、内側板部２６ａのＸ１−Ｘ２方向の長さよりも短く形成されていて、本体部４２ａの端部と内側板部２６ａの端部間の距離αは、折返し板部４０ｂ、４０ｄの幅と略同じ（同じとしてもよい）となっている。つまり、折返し板部４０ｂが折返し板部４０ａと連結フラップ３４ａ間に丁度嵌るように、また、折返し板部４０ｄが折返し板部４０ａと連結フラップ３２ａ間に丁度嵌るように、該距離αは折返し板部４０ｂ、４０ｄの幅と略同じになっている。
【００２７】
また、突出部４４−１は、折返し板部４０ａのＸ１側の端部から連設されている。つまり、突出部４４−１は、Ｘ１側の端部でＹ１側の端部側の位置に設けられていて、４分の１円形形状（つまり、円形を円の中心を通る２つの直線で４分の１に切断したものの１つの形状）を呈している。このように突出部４４−１が、４分の１円形形状となっていることによって円弧状の部分を有しているので、突出部の損傷を小さくすることでき（つまり、角があると損傷しやすい）、また、製造に当たってバリを除去しやすいという利点がある。この突出部４４−１のＹ１側の辺部は、本体部４２ａのＸ１−Ｘ２方向の辺部の延長線上にある。同様に、突出部４４−２は、折返し板部４０ａのＸ２側の端部から連設されている。つまり、突出部４４−２は、Ｘ２側の端部でＹ１側の端部側の位置に設けられていて、４分の１円形形状を呈している。この突出部４４−２のＹ１側の辺部は、本体部４２ａの辺部の延長線上にある。なお、この突出部４４−１のＹ１−Ｙ２方向の幅は、本体部４２ａのＹ１−Ｙ２方向の幅に対して、半分以下の幅であることが好ましく、より好ましくは、本体部４２ａの幅の３０〜５０％の幅とすることが好ましい。これにより、他の折返し板部の先端を折返し板部の本体部の端部に当接させやすくすることができる。
【００２８】
次に、底板部１０の右側の辺部からは折れ線を介して外側板部（第１外側板部）２２ｂが連設されている。この外側板部２２ｂは、略長方形状を呈し、縦方向（Ｙ１−Ｙ２方向）には底板部１０と同じ幅を有している。また、外側板部２２ｂの底板部１０側とは反対側の辺部からは縁板部（第１縁板部）２４ｂが折れ線を介して連設されている。この縁板部２４ｂは、幅狭の帯状を呈し、組立て状態では、側壁部２０ｂの上端部分を構成する。この縁板部２４ｂの縦方向の幅は、外側板部２２ｂ側から内側板部２６ｂに向けて若干小さく形成されている。
【００２９】
また、縁板部２４ｂの外側板部２２ｂ側とは反対側の辺部からは内側板部（第１内側板部）２６ｂが折れ線を介して連設されている。この内側板部２６ｂは、略方形状を呈している。この内側板部２６ｂの幅（つまり、Ｘ１−Ｘ２方向の幅（組立て状態における高さ方向の幅））は、外側板部２２ｂの幅（つまり、Ｘ１−Ｘ２方向の幅（組立て状態における高さ方向の幅））と同じか又は底板部１０の厚みを考慮して、外側板部２２ｂの幅よりも若干小さく形成されている。また、内側板部２６ｂの長さ（つまりＹ１−Ｙ２方向の長さ）は、外側板部２２ｂの長さよりも若干短く形成されている。
【００３０】
また、内側板部２６ｂの縁板部２４ｂとは反対側の辺部からは折返し板部（第１折返し板部）４０ｂが形成されている。この折返し板部４０ｂは、細長の略長方形状を呈するが、厳密には、折返し板部４０ｂの短辺がややテーパ状に形成されていて、折返し板部４０ｂは、全体に台形状を呈し、折返し板部４０ｂの長さ（すなわち、Ｙ１−Ｙ２方向の長さ）は、折返し板部４０ｂの先端側にいくほど短くなっている。なお、折返し板部４０ｂのＸ１側の端部における長さ（Ｙ１−Ｙ２方向の長さ）は、内側板部２６ｂの長さと同じに形成されている。また、折返し板部４０ｂの幅（Ｘ１−Ｘ２方向の幅）は、折返し板部４０ａにおける本体部４２ａの幅（Ｙ１−Ｙ２方向の幅）と同じに形成されている。
【００３１】
次に、底板部１０の上側の辺部からは折れ線を介して外側板部（第２外側板部）２２ｃが連設され、また、この外側板部２２ｃの両側には、連結フラップ（第１連結フラップ）２８ｃ、３０ｃが折れ線を介して連設され、また、外側板部２２ｃの底板部１０側とは反対側の辺部からは縁板部（第２縁板部）２４ｃが折れ線を介して連設され、また、縁板部２４ｃの外側板部２２ｃ側とは反対側の辺部からは内側板部（第２内側板部）２６ｃが折れ線を介して連設され、また、内側板部２６ｃの両側には、連結フラップ（第２連結フラップ）３２ｃ、３４ｃが折れ線を介して連設され、さらには、内側板部２６ｃの縁板部２４ｃとは反対側の辺部からは折返し板部（第２折返し板部）４０ｃが連設されているが、これらの構成は、外側板部２２ａと、連結フラップ２８ａ、３０ａと、縁板部２４ａと、内側板部２６ａと、連結フラップ３２ａ、３４ａと、折返し板部４０ａと同じ構成であるので、詳しい説明を省略する。つまり、底板部１０の上側に設けられた各部材の構成は、底板部１０の下側に設けられた各部材の構成と同じである。また、底板部１０の上側の構成は、底板部１０の下側の構成とＸ１−Ｘ２方向の中心線を介して対称に構成されているといえる。
【００３２】
なお、この折返し板部４０ｃは、本体部４２ｃと、該本体部４２ｃの両側に形成された突出部４４−３、４４−４とを有している。
【００３３】
ここで、本体部４２ｃは、略長方形状を呈し、具体的には、細長の長方形状を呈している。この本体部４２ａの長さ、つまり、Ｘ１−Ｘ２方向の長さは、内側板部２６ｃのＸ１−Ｘ２方向の長さよりも短く形成されていて、本体部４２ｃの端部と内側板部２６ｃの端部間の距離αは、折返し板部４０ｂ、４０ｄの幅と略同じ（同じとしてもよい）となっている。つまり、折返し板部４０ｂが折返し板部４０ｃと連結フラップ３２ｃ間に丁度嵌るように、また、折返し板部４０ｄが折返し板部４０ｃと連結フラップ３４ｃ間に丁度嵌るように、該距離αは折返し板部４０ｂ、４０ｄの幅と略同じになっている。
【００３４】
また、突出部４４−３は、折返し板部４０ｃのＸ２側の端部から連設されている。つまり、突出部４４−３は、Ｘ２側の端部でＹ２側の端部側の位置に設けられていて、４分の１円形形状を呈している。この突出部４４−３のＹ２側の辺部は、本体部４２ｃのＸ１−Ｘ２方向の辺部の延長線上にある。同様に、突出部４４−４は、折返し板部４０ｃのＸ１側の端部から連設されている。つまり、突出部４４−４は、Ｘ１側の端部でＹ２側の端部側の位置に設けられていて、４分の１円形形状を呈している。この突出部４４−４のＹ２側の辺部は、本体部４２ｃのＸ１−Ｘ２方向の辺部の延長線上にある。また、折返し板部４０ｃの幅（Ｙ１−Ｙ２方向の幅）は、折返し板部４０ａの幅と同じに形成されている。
【００３５】
次に、底板部１０の左側の辺部からは折れ線を介して外側板部（第１外側板部）２２ｄが連設され、また、外側板部２２ｄの底板部１０側とは反対側の辺部からは縁板部（第１縁板部）２４ｄが折れ線を介して連設され、また、縁板部２４ｄの外側板部２２ｄ側とは反対側の辺部からは内側板部（第１内側板部）２６ｄが折れ線を介して連設され、さらには、内側板部２６ｄの縁板部２４ｄとは反対側の辺部からは折返し板部４０ｄが形成されているが、これらの構成は、外側板部２２ｂと、縁板部２４ｂと、内側板部２６ｂと、折返し板部４０ｂと同じ構成であるので、詳しい説明を省略する。つまり、底板部１０の左側に設けられた各部材の構成は、底板部１０の右側に設けられた各部材の構成と同じである。また、底板部１０の左側の構成は、底板部１０の右側の構成とＹ１−Ｙ２方向の中心線を介して対称に構成されているといえる。
【００３６】
なお、折返し板部４０ｄは、細長の略長方形状を呈するが、厳密には、折返し板部４０ｄの短辺がややテーパ状に形成されていて、折返し板部４０ｄは、全体に台形状を呈し、折返し板部４０ｄの長さ（すなわち、Ｙ１−Ｙ２方向の長さ）は、折返し板部４０ｄの先端側にいくほど短くなっている。なお、折返し板部４０ｄのＸ２側の端部における長さ（Ｙ１−Ｙ２方向の長さ）は、内側板部２６ｄの長さと同じに形成されている。また、折返し板部４０ｄの幅（Ｘ１−Ｘ２方向の幅）は、折返し板部４０ａにおける本体部４２ａの幅（Ｙ１−Ｙ２方向の幅）や、折返し板部４０ｃにおける本体部４２ｃの幅（Ｙ１−Ｙ２方向の幅）や、折返し板部４０ｂの幅と同じに形成されている。
【００３７】
上記構成の箱Ａの組立て方法について説明すると、内側板部２６ａを縁板部２４ａに対して折り曲げ、さらに、縁板部２４ａを外側板部２２ａに対して折り曲げて、内側板部２６ａを外側板部２２ａの上方に略平行になるようにする。これにより、連結フラップ３２ａが連結フラップ２８ａの上方に位置し、連結フラップ３４ａが連結フラップ３０ａの上方に位置する。また、同様に、内側板部２６ｃを縁板部２４ｃに対して折り曲げ、さらに、縁板部２４ｃを外側板部２２ｃに対して折り曲げて、内側板部２６ｃを外側板部２２ｃの上方に略平行になるようにする。これにより、連結フラップ３２ｃが連結フラップ２８ｃの上方に位置し、連結フラップ３４ｃが連結フラップ３０ｃの上方に位置する。
【００３８】
そして、外側板部２２ａを底板部１０に対して起立させ、また、連結フラップ２８ａ、３０ａ、３２ａ、３４ａを底板部１０側に折り曲げておく。また、同様に、外側板部２２ｃを底板部１０に対して起立させ、また、連結フラップ２８ｃ、３０ｃ、３２ｃ、３４ｃを底板部１０側に折り曲げておく。
【００３９】
そして、外側板部２２ｂを底板部１０に対して折り曲げ、さらに、縁板部２４ｂを外側板部２２ｂに対して折り曲げるとともに、内側板部２６ｂを縁板部２４ｂに対して折り曲げるとともに、連結フラップ３０ａ、３４ａ、２８ｃ、３２ｃに被せて（図４のＷ１参照）、連結フラップ３０ａ、３４ａ、２８ｃ、３２ｃが外側板部２２ｂと内側板部２６ｂ間に挟まれた状態とする。また、同様に、外側板部２２ｄを底板部１０に対して折り曲げ、さらに、縁板部２４ｄを外側板部２２ｄに対して折り曲げるとともに、内側板部２６ｄを縁板部２４ｄに対して折り曲げるとともに、連結フラップ２８ａ、３２ａ、３０ｃ、３４ｃに被せて、連結フラップ２８ａ、３２ａ、３０ｃ、３４ｃが外側板部２２ｄと内側板部２６ｄ間に挟まれた状態とする。
【００４０】
そして、折返し板部４０ｂを突出部４４−２、４４−３上に重なるようにして嵌合させる。つまり、折返し板部４０ｂのＹ１側（図４では右側）を本体部４２ａと連結フラップ３４ａ間に嵌合させ、また、折返し板部４０ｂのＹ２側（図４では左側）を本体部４２ｃと連結フラップ３２ｃ間に嵌合させる。すると、折返し板部４０ｂの一方の端部における先端側Ｔ１１は、本体部４２ａの端部Ｔ１２に当接して係止し、また、折返し板部４０ｂの他方の端部における先端側Ｔ２１は、本体部４２ｃの端部Ｔ２２に当接して係止するので、折返し板部４０ａ、４０ｃの折返し板部４０ｂ側の部分と、折返し板部４０ｂとが固定された状態となる。同じように、折返し板部４０ｄを突出部４４−１、４４−４上に重なるようにして嵌合させる。つまり、折返し板部４０ｄのＹ１側を本体部４２ａと連結フラップ３２ａ間に嵌合させ、また、折返し板部４０ｄのＹ２側を本体部４２ｃと連結フラップ３４ｃ間に嵌合させる。すると、折返し板部４０ｄの一方の端部における先端側は、本体部４２ａの端部に当接して係止し、また、折返し板部４０ｄの他方の端部における先端側は、本体部４２ｃの端部に当接して係止するので、折返し板部４０ａ、４０ｃの折返し板部４０ｄ側の部分と、折返し板部４０ｄとが固定された状態となる。以上のようにして、箱Ａの組立てを行なうことができる。
【００４１】
なお、折返し板部４０ｂ、４０ｄがテーパ状になっているので、嵌合を容易に行なうことができる。つまり、折返し板部４０ｂがテーパ状に形成されているので、折返し板部４０ｂの端部を容易に本体部４２ａ、４２ｃに係止させることができ、また、折返し板部４０ｃがテーパ状に形成されているので、折返し板部４０ｃの端部を容易に本体部４２ａ、４２ｃに係止させることができる。
【００４２】
箱Ａの組立て状態においては、折返し板部４０ｂは、突出部４４−２、４４−３の上面に重なった状態となっており、また、折返し板部４０ｄは、突出部４４−１、４４−４の上面に重なった状態となっている。また、折返し板部４０ａ、４０ｃは、底板部１０の上面に積層した状態となっていて、底板部１０の向きと同じ向きとなっている。また、折返し板部４０ｂ、４０ｄも底板部１０の向きと同じ向きになっているが、突出部の上面に重なっているので、底板部１０に対してやや浮いた状態となっている。
【００４３】
次に、箱Ａを解体する場合について説明する。箱Ａを解体する際には、折返し板部４０ｂを持ち上げて嵌合状態を解除し、また、折返し板部４０ｄを持ち上げて嵌合状態を解除する。その際、折返し板部４０ｂは、突出部４４−２、４４−３の上面に重なっているので、これにより、折返し板部４０ｂが底板部１０に対して浮いた状態となっており、折返し板部４０ｂと底板部１０間に隙間が形成されているので、この隙間に指や爪を入れることにより折返し板部４０ｂを持ち上げやすくなっている。同様に、折返し板部４０ｄは、突出部４４−１、４４−４の上面に重なっているので、これにより、折返し板部４０ｄが底板部１０に対して浮いた状態なってとおり、折返し板部４０ｄと底板部１０間に隙間が形成されているので、この隙間に指や爪を入れることにより折返し板部４０ｄを持ち上げやすくなっている。
【００４４】
以上のように、折返し板部４０ｂ、４０ｄを持ち上げて嵌合状態を解除したら、上記組立て方法と逆の要領で箱Ａを展開状態にすることにより、解体を行う。
【００４５】
以上のように、本実施例の箱Ａによれば、突出部４４−１〜４４−４が形成されているので、これにより、折返し板部４０ｂや折返し板部４０ｄが持ち上げやすくなり、よって、側壁部が外側板部と内側板部とを有し、内側板部から連設された折返し板部で底板部に積層した折返し板部が設けられたタイプの箱において、解体性を向上させることができる。
【００４６】
なお、本実施例においては、内側板部には、指を掛止するための穴部が設けられないので、外側板部の裏面が露出することがなく、見栄えを悪くすることがない。
【００４７】
なお、上記の構成において、箱Ａの内側、例えば、折返し板部４０ｂ、４０ｄに、箱を解体する際の操作の方法を印刷等により表示するようにしてもよい。例えば、折返し板部４０ｂ、４０ｄの上面に「ここに指をひっかけると解体しやすくなっています。」と表示しておく。これにより、解体操作の方法を容易に知らせることが可能となる。
【００４８】
なお、上記の説明において、突出部４４−１〜４４−４は、４分の１円形形状であるとして説明したが、これには限られず他の形状でもよく、例えば、図５に示すように、四角形状としてもよい。
【図面の簡単な説明】
【００４９】
【図１】本実施例の箱を示す斜視図である。
【図２】本実施例の箱の展開状態を示す平面図である。
【図３】本実施例の箱の展開状態を示す要部平面図である。
【図４】本実施例の箱の使用状態を示す説明図である。
【図５】本実施例の他の例における箱の使用状態を示す説明図である。
【図６】従来における箱の例を示す斜視図である。
【符号の説明】
【００５０】
Ａ  箱
１０  底板部
２２ａ、２２ｂ、２２ｃ、２２ｄ  外側板部
２４ａ、２４ｂ、２４ｃ、２４ｄ  縁板部
２６ａ、２６ｂ、２６ｃ、２６ｄ  内側板部
２８ａ、３０ａ、３２ａ、３４ａ、２８ｃ、３０ｃ、３２ｃ、３４ｃ  連結フラップ
４０ａ、４０ｂ、４０ｃ、４０ｄ  折返し板部
４２ａ、４２ｂ、４２ｃ、４２ｄ  本体部
４４−１、４４−２、４４−３、４４−４  突出部
【図１】
0003111003.tif 000003
【図２】
0003111003.tif 000004
【図３】
0003111003.tif 000005
【図４】
0003111003.tif 000006
【図５】
0003111003.tif 000007
【図６】
0003111003.tif 000008